(57)【要約】   本発明は、内容物が収容される本体と、前記本体と一体に形成され、前記本体の開口を覆う蓋体とを含む封筒であって、前記本体と前記蓋体とは、密封時に重畳する部分を備え、前記本体は、前記重畳部分に広告手段を備え、前記広告手段の周囲には、切取線が設けられ、前記広告手段は、前記本体の内部に折り込まれるように、両側面が切開又は切取り可能に設けられた広告表示部を備え、前記広告表示部を前記本体内部に折り込んだ後に、前記蓋体を密封してから、前記蓋体を開封すると、前記広告手段が前記蓋体の内面に位置し、折り込んでいた前記広告表示部が、反発力によって受信者の正面に向けて突出する立体型スマートメッセンジャー封筒に関する。【選択図】   図４
2017506610.tif 000002
【特許請求の範囲】
【請求項１】
内容物が収容される本体と、前記本体と一体に形成され、前記本体の開口を覆う蓋体とを含む封筒であって、
前記本体と前記蓋体とは、密封時に重畳する部分を備え、前記本体は、前記重畳部分に広告手段を備え、前記広告手段の周囲には、切取線が設けられ、前記広告手段は、前記本体の内部に折り込まれるように、両側面が切開又は切取り可能に設けられた広告表示部を備え、前記広告表示部を前記本体内部に折り込んだ後に、前記蓋体を密封してから、前記蓋体を開封すると、前記広告手段が前記蓋体の内面に位置し、折り込んでいた前記広告表示部が、反発力によって受信者の正面に向けて突出し、前記広告表示部は、前記本体内部に折り込んだ状態であるとき、前記本体の内面と接触する摺接部を備え、前記蓋体の開封する力と、前記本体の内面との摺接によって、前記広告表示部が前記広告手段から突出した状態を維持することを特徴とする立体型スマートメッセンジャー封筒。
【請求項２】
前記広告表示部と前記広告手段とは、切取り可能な接合部により、互いに局所的に連結して固定されていることを特徴とする請求項１に記載の立体型スマートメッセンジャー封筒。
【請求項３】
前記広告表示部は、文字、絵柄、図形の少なくとも１つを含む商品巻、クーポン、食券、返礼からなり、前記商品巻、クーポン、食券、返礼には、バーコード、ＱＲコード、又はイメージＱＲコードが印刷されている特徴とする請求項１に記載の立体型スマートメッセンジャー封筒。
【請求項４】
前記切取線は、一列に形成された一対の第１の切取線と、前記第１の切取線の一端に、前記第１の切取線に向かって開放した'く'字状の第２の切取線とを含み、前記一対の第１の切取線及び第２の切取線が一組に構成され、前記重畳部の長手方向に沿って、互いに一定の間隔離隔して配列されることを特徴とする請求項１に記載の立体型スマートメッセンジャー封筒。
【発明の詳細な説明】
【技術分野】
【０００１】
本発明は、手紙、商品巻などが入れられる封筒に関し、より詳しくは、封筒の開封に際して、発信人の広告内容又は広告物を受信者に効率よく提供することができる立体型スマートメッセンジャー封筒に関する。
【背景技術】
【０００２】
一般に、手紙封筒は、郵便物の送付に用いられ、その内部に、手紙、各種の告知書、案内文又は広告文などの郵便物を入れて使用する。
【０００３】
このような手紙封筒は、使い勝手の向上のため、内容物の透視部を備えるか、容易な開封構造を有する様々な形態に製作されている。
【０００４】
一方、近年には、インターネット及びスマートフォンの大衆化により、周辺の人々と容易且つ簡便に連絡するか情報配信が可能であって、手紙封筒を使用することが殆どなくなっている。その代わりに、従来の手紙封筒は、顧客又は消費者に広告を目的に直接発送されるＤＭ(Direct Marketing)用として多く使われている。
【０００５】
しかし、このような広告を目的とする封筒は、受信者が該当広告を要する場合に限って郵便物を注意深く見るだけであり、多くの受信者は、封筒を開けることなく捨てるか、封筒を開封した後、内容物を一度見て捨てる場合が多かった。そこで、前記広告用封筒は、期待する広告効果を得ることが難しかった。
【発明の概要】
【発明が解決しようとする課題】
【０００６】
本発明の目的は、前記のような実情に鑑みてなされたものであって、広告効果を極大化することができる立体型スマートメッセンジャー封筒を提供することにある。
【課題を解決するための手段】
【０００７】
前記目的を達成するために、本発明は、内容物が収容される本体と、前記本体と一体に形成され、前記本体の開口を覆う蓋体とを含む封筒であって、前記本体と前記蓋体とは、密封時に重畳する部分を備え、前記本体は、前記重畳部分に広告手段を備え、前記広告手段の周囲には、切取線が設けられ、前記広告手段は、前記本体の内部に折り込まれるように、両側面が切開又は切取り可能に設けられた広告表示部を備え、前記広告表示部を前記本体内部に折り込んだ後に、前記蓋体を密封してから、前記蓋体を開封すると、前記広告手段が前記蓋体の内面に位置し、折り込んでいた前記広告表示部が、反発力によって受信者の正面に向けて突出し、前記広告表示部は、前記本体内部に折り込んだ状態であるとき、前記本体の内面と接触する摺接部を備え、前記蓋体の開封する力と、前記本体の内面との摺接によって、前記広告表示部が前記広告手段から突出した状態を維持することを特徴とする。
【０００８】
前記広告表示部と前記広告手段とは、切取り可能な接合部により、互いに局所的に連結して固定されている。
【０００９】
前記広告表示部は、文字、絵柄、図形の少なくとも１つを含む商品巻、クーポン、食券、返礼からなり、前記商品巻、クーポン、食券、返礼には、バーコード、ＱＲコード、又はイメージＱＲコードが印刷されている。
【００１０】
前記切取線は、一列に形成された一対の第１の切取線と、前記第１の切取線の一端に、前記第１の切取線に向かって開放した'く'字状の第２の切取線とを含み、前記一対の第１の切取線及び第２の切取線が一組に構成され、前記重畳部の長手方向に沿って、互いに一定の間隔離隔して配列される。
【発明の効果】
【００１１】
本発明によると、封筒の開封に際して、受信者に視覚的な広告効果を提供すると共に、受信者が広告手段を切り取って使用することで、広告効果を極大化することができる。
【図面の簡単な説明】
【００１２】
【図１】図１は、本発明による立体型スマートメッセンジャー封筒を示す図であって、密封前の状態を示す平面図である。
【図２】図２は、本発明による立体型スマートメッセンジャー封筒を示す図であって、広告表示部を折り込む状態を示す平面図である。
【図３】図３は、本発明による立体型スマートメッセンジャー封筒を示す図であって、密封した状態を示す平面図である。
【図４】図４は、本発明による立体型スマートメッセンジャー封筒を示す図であって、蓋体が開封している状態を示す斜視図である。
【図５】図５は、本発明による立体型スマートメッセンジャー封筒を示す図であって、蓋体が開封した状態を示す平面図である。
【図６】図６は、本発明による立体型スマートメッセンジャー封筒を示す図であって、蓋体が開封した状態を示す斜視図である。
【発明を実施するための形態】
【００１３】
図１乃至図６に示しているように、本発明による立体型スマートメッセンジャー封筒は、本体１００と、蓋体２００とを含み、本体１００内に広告手段３６０が設けられ、封筒の開封に際して、広告手段３６０が蓋体２００側に移動して、受信者の正面に向けて突出するように構成される。
【００１４】
本体１００は、中央部と、中央部を中心に左側と右側にそれぞれ位置する一対の側面羽部、及び中央部の下に位置する下側羽部が順に折り込まれており、内部に手紙などの内容物が収容するように、上部が開放したポケット状に設けられる。蓋体２００は、本体１００の開放した上部が覆われるように、本体１００の上端に、本体１００と一体に設けられる。ここで、本体１００と蓋体２００とは、接着密封で重ね合わせる重畳部分が形成され、この重畳部分は、広告手段３６０の周囲部分を形成する。
【００１５】
具体的に、本体１００は、重畳部分に広告手段３６０を設ける。広告手段３６０は、その周囲に切取線３６１を備え、封筒を密封した後、蓋体２００を開封することになると、蓋体２００と接着した重畳部分が蓋体２００側に移動することで、切取線３６１が切り取られて、広告手段３６０が蓋体２００側に移動することになる。
【００１６】
広告手段３６０は、折畳可能な広告表示部３７０を備える。広告表示部３７０は、会社広報用の商品巻として構成することができる。そして、この商品巻には、会社の会員アイディー(ＩＤ)記載欄などの情報入力空間が設けられる。また、広告手段３６０の広告表示部３７０は、結婚式場などの行事場で使用される食券、又は会社で使用されるクーポンに構成することができる。前述した商品巻(又はクーポン)で構成された広告手段３６０は、以下のような方法に活用可能である。 
【００１７】
例えば、郵便受信者は、封筒から、広告表示部３７０、すなわち商品巻を切り取り、情報入力空間にアイディーを記載した後、商品巻に記入されている商品巻金額分を、商品巻発行会社で現金の如く使用することができる。すると、商品巻を受けた受信者は、他の会社よりは、商品巻発行会社を利用するはずであり、商品巻発行会社は、受け付けられた会員アイディーを通じて、効率よく会員を管理をすることができる。このような広告手段の使用例は、一例に過ぎず、他の多くの形態にも活用可能である。
【００１８】
また、広告手段３６０の広告表示部３７０には、ＱＲコード３２１を設けることができる。ＱＲコード３２１には、インターネットアドレス(ＵＲＬ)や写真及び動画情報、地図情報、名刺情報などの様々な情報が格納されており、ユーザは、ＱＲコード３２１をスキャンして、会社情報などを得られる。ここで、広告表示部３７０のＱＲコード３２１は、バーコードやイメージＱＲコード(該当商品のイメージにＱＲコードが印刷した形態)などに代替可能である。
【００１９】
前述したように、本発明による立体型スマートメッセンジャー封筒は、開封に際して、受信者に視覚的な広告効果を提供すると共に、受信者が広告手段を切り取って消費活動に活用することで、広告効果を極大化することができる。
【００２０】
望ましくは、図２を参照すると、切取線３６１は、一列に形成された一対の第１の切取線３６１аと、この第１の切取線３６１аの一端に、第１の切取線３６１аに向けて開放した'く'字状の第２の切取線３６１ｂとを含む。そして、一対の第１の切取線３６１а及び第２の切取線３６１ｂが一組に構成され、これらの組が長手方向に沿って、互いに一定の間隔離隔して配列される。そこで、切取線３６１は、全体として、１方向に向かう矢印状を有する。
【００２１】
このような切取線３６１の配列により、切取線３６１を１方向に切り取ると、二重の第１の切取線３６１аにより、封筒が安定に切り取られ、方向性を有する第２の切取線３６１ｂにより、切取り方向が切取線３６１をはずすことがなくなる。
【００２２】
より望ましくは、広告表示部３７０は、本体１００内部への折畳のために、両側面が切開、又は切取り可能に設けられる。そして、広告表示部３７０の切開していない下面は、折り込まれるように、折畳線３７１を設ける。すなわち、広告表示部３７０は、両側面に切開線３７２(又は、切取線)を設け、下面に折畳線３７１を設けることで、本体１００内に折り込まれるように構成される。 
【００２３】
このような構成により、図１に示している状態で、図２における広告表示部３７０を本体１００内部に折り込み、図３における蓋体２００を密封した後、図４における蓋体２００を開封すると、広告表示部３７０が本体１００に折り込まれて、蓋体２００の内面に位置し、本体１００内に折り込んでいた広告表示部３７０は、図４に示しているように、その下端の両側が、本体１００と摺接部(Ｓ)を形成し、この摺接部(Ｓ)が本体と接触した状態で摺動しながら、折り込んでいた広告表示部３７０が開かれて、封筒を開封した受信者の正面に向けて突出して、図５及び図６に示している状態になる。
【００２４】
図４を参照すると、蓋体２００が半分程度開放したとき、広告表示部３７０の両側端部が、本体１００の前面内側に嵌められている。すなわち、広告表示部３７０が本体１００内に折り込まれるとき、摺接部(Ｓ)が形成するように、広告表示部３７０の折畳線３７１と広告手段３６０切取線３６１との間の間隔を超えて、本体１００の内面(受信者に向かう本体前面の裏面)に位置する大きさを有する。
【００２５】
このような広告表示部３７０の構成は、広告表示部３７０の端部側、すなわち摺接部(Ｓ)が本体１００の広告手段３６０の切取線３６１を超えて、本体内側に形成されており、蓋体２００の密封時に、糊などで蓋体２００と本体１００とが付着した後、蓋体２００の開封時に、広  告表示部３７０が、本体１００の広告手段３６０の切取線３６１を擦れ合いながら開封されるので、蓋体２００の裏面に付着した状態で、本体内部に折り込んでいた広告表示部３７０が、摺接部(Ｓ)と本体１００との間の反発力によって、広告手段３６０から自然に立てられ、受信者の正面に向けて突出することにする。
【００２６】
このように、本発明による立体型スマートメッセンジャー封筒は、広告表示部３７０を立体的に突出させるために、広告表示部３７０を立てるか、折り込む必要なく、受信者が封筒を開封すると、折り込んでいた広告表示部３７０が、摺接部(Ｓ)により、本体１００の内面に摺接して移動することで、立体的に自然に突出する。
【００２７】
一方、本発明による立体型スマートメッセンジャー封筒は、特殊設計された封筒製造装置で図１のような状態に製造されるが、広告表示部３７０の両側面が切開されている場合、製造装置で封筒が製造される間に、広告表示部３７０が製造装置内で予め折り込まれるか、又は捲くれて損傷する恐れがある。 
【００２８】
このような理由で、広告表示部３７０の両側面は、切取り可能に設けることが望ましい。しかし、広告表示部３７０の両側面が切取り可能に構成された場合、切取線で側面が滑らかでないという不都合がある。そこで、広告表示部３７０の両側面は切開して滑らかに形成するのが望ましく、上述した製造上の不都合を補うため、広告表示部３７０と広告手段３６０とは、切取り可能な接合部３７３により、互いに局所的に固定されている。
【００２９】
ここで、接合部３７３は、本体１００の前面上端から一定の距離下側に形成するのが望ましい。このような接合部３７３の位置は、ユーザが広告表示部３７０を本体１００内に折り込もうとするとき、広告表示部３７０が折畳線３７１に沿って、容易に折り込むようにする。
【００３０】
更に、図５に示しているように、広告手段３６０が切り取られて、外部に露出した本体１００の前面には、ＱＲコード３２３及び付加的な広告文３２６を印刷することができる。また、図１に示しているように、開封した蓋体２００の前面にも、付加的な広告文３２５やＱＲコード３２４を印刷することができる。蓋体２００の前方に印刷した広告文やＱＲコードは、封筒開封により、蓋体２００側に移動した広告表示部３７０が、本体１００に摺接しながら、前方に突出することで、受信者に認知されることができる。
【図１】
2017506610.tif 000003
【図２】
2017506610.tif 000004
【図３】
2017506610.tif 000005
【図４】
2017506610.tif 000006
【図５】
2017506610.tif 000007
【図６】
2017506610.tif 000008
【国際調査報告】
2017506610.tif 000009
2017506610.tif 000010
2017506610.tif 000011
2017506610.tif 000012